(57)【要約】【課題】ブック原稿読取モードの設定操作の手間が省け、かつ間違いなく枠、センター影消去機能が実行できる画像読取装置を提供する。【解決手段】原稿台に載置された原稿の読取走査をする読取走査手段と、該読取走査手段で読み取った画像に形成されている枠、センター影を消去する機能を有した画像処理手段とを備えた画像読取装置において、原稿台には、原稿台に対する上方からの押圧力を検知する圧電センサが設けられ、画像処理手段は、圧電センサが所定の圧力を検知したときに、枠、センター影を消去するモードを自動設定する。【選択図】図１
2008154058.tif 000002
【特許請求の範囲】
【請求項１】
原稿台に載置された原稿の読取走査をする読取走査手段と、該読取走査手段で読み取った画像に形成されている枠、センター影を消去する機能を有した画像処理手段とを備えた画像読取装置において、
上記原稿台に対する上方からの押圧力を検知する圧電センサと、原稿のサイズを検出する原稿サイズ検出手段とを備え、
上記画像処理手段は、上記圧電センサが所定の圧力を検知したときに、上記原稿サイズ検出手段が検出した原稿サイズに応じて、原稿画像の枠、センター影を消去するモードを自動設定することを特徴とする画像読取装置。
【請求項２】
請求項１において、
上記画像処理手段は、一定以上の圧力が一定時間継続した場合に、上記原稿画像の枠、センター影の消去モードを有効とすることを特徴とする画像読取装置。
【請求項３】
請求項１または２において、
上記画像処理手段は、上記原稿画像の枠、センター影の消去モードを、上記原稿画像の読取走査後に自動解除することを特徴とする画像読取装置。
【請求項４】
請求項１〜３のいずれかにおいて、
上記原稿台を上方より覆う原稿カバーを開閉可能に設けた構造とされ、
上記原稿台に原稿が載置され、かつ上記原稿カバーが閉状態ではないとき、原稿の押圧操作の可否の判断を促すガイド手段をさらに備えている画像読取装置。
【発明の詳細な説明】
【技術分野】
【０００１】
本発明は、原稿台に原稿を載置して原稿画像の読取を行う画像読取装置に関するものである。
【背景技術】
【０００２】
この種の画像読取装置では、書籍を開いた状態で、コンタクトガラスで構成された原稿台に載せ置いて画像を読み取る場合、原稿カバーを完全に閉じることができないため、生成、出力された画像には、見開き書籍原稿の枠、センターの影が生じる（本発明の一実施例として示した図２を参照）。なお以下には、見開き状態の書籍原稿をブック原稿と記載する。
【０００３】
従来の画像読取装置には、このようなブック原稿読取で生成された画像から枠、センターの影を消去する機能を備えたものがあり、そのような装置では、操作パネルで原稿読取時にブック原稿（枠、センター影消去モード）の設定をしておけば、影のないきれいな画像を得ることができる。
【０００４】
また、そのような設定操作をすることなく、原稿カバーが開いているときに自動で枠消し処理を行う装置も提案されている（例えば特許文献１参照）。
【特許文献１】特開２００５−１９１６１０号公報
【発明の開示】
【発明が解決しようとする課題】
【０００５】
しかしながら、上記文献のものは、原稿カバーの開閉のみを検出して、ブック原稿かどうかを判別しているため、ブック原稿であっても原稿カバーを閉じて画像読取をさせたときには、枠消し処理は動作せず、わずかにカバーの開いた隙間によって枠、センター影が画像中に表れるおそれがある。また、書籍を見開き状態とせずに書籍の表紙、裏表紙を、原稿カバーを開いた状態で読み取らせる場合では、読取を行えば枠消し処理が動作するため、画像中のセンター部が消されてしまう。
【０００６】
本発明は、このような事情を考慮して提案されたもので、その目的は、ブック原稿読取モード（枠、センター影消去モード）の設定操作の手間が省け、原稿の読取画像に残存する枠、センター影の消去処理が実行できる画像読取装置を提供することにある。
【課題を解決するための手段】
【０００７】
上記目的を達成するために、請求項１に記載の画像読取装置は、原稿台に載置された原稿の読取走査をする読取走査手段と、該読取走査手段で読み取った画像に形成されている枠、センター影を消去する機能を有した画像処理手段とを備えた画像読取装置において、原稿台に対する上方からの押圧力を検知する圧電センサと、原稿のサイズを検出する原稿サイズ検出手段とを備え、画像処理手段は、圧電センサが所定の圧力を検知したときに、原稿サイズ検出手段が検出した原稿サイズに応じて、原稿画像の枠、センター影を消去するモードを自動設定することを特徴としている。
【０００８】
請求項２に記載の画像読取装置は、画像処理手段は、一定以上の圧力が一定時間継続した場合に、原稿画像の枠、センター影の消去モードを有効とすることを特徴とする。
【０００９】
請求項３に記載の画像読取装置は、画像処理手段は、原稿画像の枠、センター影の消去モードを、原稿画像の読取走査後に自動解除することを特徴とする。
【００１０】
請求項４に記載の画像読取装置は、原稿台を上方より覆う原稿カバーを開閉可能に設けた構造とされ、原稿台に原稿が載置され、かつ原稿カバーが閉状態ではないとき、原稿の押圧操作の可否の判断を促すガイド手段をさらに備えている。
【発明の効果】
【００１１】
本発明の画像読取装置では、原稿台の上方からの押圧力を圧電センサで検出する構成としているため、ブック原稿の読取であることを判別でき、自動でブック原稿読取モードに設定できる。そのため、ブック原稿読取の操作者は、ブック原稿であることを全く意識することなく、ブック原稿読取で画像中に生じる原稿サイズに応じた枠、センター影の消去の対応をとることができる。
【００１２】
また、一定以上の圧力が一定時間継続した場合に、枠、センター影の消去機能を有効とした本発明では、あやまって手が原稿台に触れたときなど、本来のブック原稿読取以外の操作による誤動作を防止できる。
【００１３】
さらに、ブック原稿読取モードを原稿読取走査後に自動解除する構成とした本発明では、操作者は解除操作をする必要がなく、ブック原稿読取モードとなったまま放置されることがない。
【発明を実施するための最良の形態】
【００１４】
以下に、本発明の実施の形態について、添付図面とともに説明する。
【００１５】
図１は、本発明の一例である画像読取装置の基本構成を示したブロック図である。また、図２（ａ）は同画像読取装置に設けた圧電センサの取付位置を示した原稿台の平面図、（ｂ）は原稿カバー開状態を示す斜視図である。なお、図２（ｂ）はブック原稿の載置例を示している。
【００１６】
本例では、画像読取装置としてファクシミリ複合機Ｆを示しているが、これには限定されず、コピー機、ファクシミリ装置など、少なくともコンタクトガラスなどの原稿台を有し、その原稿台に原稿を載置して画像読取することが可能な装置であればよい。
【００１７】
この画像読取装置Ｆは、ＭＰＵ１、ＮＣＵ２、モデム３、原稿読取走査を行う種々の部材を有したスキャナ機構部４０、これを制御するスキャナ機構部制御回路４Ａ、原稿台４１に載置した原稿のサイズを検出する原稿サイズ検出手段４Ｂ、画像処理手段５、操作表示部６、各種プログラムや定数データが保存されたＲＯＭ７、ＲＡＭ８、画像メモリ１０、その画像メモリ１０に対して入出力制御するメモリコントローラ９、ＣＯＤＥＣ１１、プリンタ１２、ＬＡＮインターフェース１３を備えている。上記スキャナ機構部４０およびスキャナ機構部制御回路４Ａで読取走査手段４を構成する。
【００１８】
ＭＰＵ１は、各プログラムにしたがって、上記各部を制御するとともに、後述するように、画像処理手段５に含まれるプログラムなどで構成された枠、センター影消去処理部５ａを実行する。
【００１９】
ＮＣＵ２は、公衆回線Ｎに対する発信、着信の網制御を行い、モデム３は、送受信データの変調および復調を行う。これらにより、ファクシミリ送受信を実行する。
【００２０】
スキャナ機構部４０は、原稿台（コンタクトガラス）４１と、原稿台４１の下方に配置され、原稿台４１上に載置された原稿の画像を読み取るための光源４２ａ、ＣＣＤ４２ｂ、種々のレンズ４２ｃ、フルレートキャリッジ４２ｄ、ハーフレートキャリッジ４２ｅなどを含む光学系部材４２とを備えている。スキャナ機構部制御回路４ＡはモータＭを作動させて、これらの光学系部材４２を制御する。
【００２１】
また、本発明の要部部材である圧電センサ４３は、薄膜に形成したものを使用することが望ましく、コンタクトガラス４１の裏側の、原稿の光学読取走査のじゃまにならない、コンタクトガラス４１外周縁の適所（例えば図２に示す位置）に、ガラス４１と支持フレーム４５との間に挟まれるように取り付けられる。この圧電センサ４３は、コンタクトガラス４１を上方より押圧したときにガラス４１に加重がかかることによって、上方からの押圧力を電気的に検出し、所定の押圧力（例えば、一定の押圧力が一定時間継続したこと）の検出によって、ブック原稿の読取であることを検出する。
【００２２】
圧電センサ４３は、ブック原稿読取の際には本の背部分を中心に押さえる傾向があることを考慮して、見開きサイズのセンター付近に取り付けることが望ましい。また、図２（ａ）に示した位置に限られず、原稿サイズに応じた各位置に設けてもよい。
【００２３】
さらに、この画像読取装置Ｆには、原稿台４１に載置した原稿を覆うことができるように原稿カバー４４が開閉可能に設けられている（図２参照）。原稿読取する際に、この原稿カバー４４で原稿台４１に載置したブック原稿Ｂを上方より覆うと、ブック原稿Ｂに厚みがあるため、ブック原稿Ｂの周縁部では、原稿カバー４４内面とコンタクトガラス４１表面との間に距離があき、また、ブック原稿Ｂの中心部でも、紙面とコンタクトガラス４１表面との間に距離があり、最適な読取はできない。そのため、生成画像の枠やセンターに影が生じる。
【００２４】
また、この画像読取装置Ｆは、原稿カバー４４の開閉状態を判別するために、カバー開閉センサ４４ａを備えている（図２参照）。このセンサ４４ａは、原稿カバー４４の開状態（所定の厚さ以上開いている状態）と閉状態（開状態以外の状態）を判別する。
【００２５】
原稿サイズ検出手段４Ｂは、基準端からの原稿長さを検出する原稿長さセンサ（不図示）を備え、この原稿長さセンサ４６が検出した長さと、読取走査手段４の光源４２ａ、ＣＣＤ４２ｂによって検出した幅とによって原稿サイズを検出する。なお、原稿長さ、原稿幅ともに、光源４２ａ、ＣＣＤ４２ｂによって検出するようにしてもよい。
【００２６】
画像処理手段５は、ＣＣＤ４２ｂで読み取った画像信号を入力し、シェーディング補正、２値化などの画像処理を行うほか、ブック原稿読取モードのときには枠、センター影消去処理部５ａを動作させて画像の加工処理を行う。
【００２７】
操作表示部６は、タッチパネルなどで構成された操作表示パネル６ａを含んで構成される。この操作表示パネル６ａが、後述するブック原稿読取（枠、センター影消去）モードの設定を促すためのガイド手段を構成する。
【００２８】
ＲＡＭ８は、各種設定データや可変データが格納される。また、ＣＯＤＥＣ９は、読み取った画像データを送信するためにＭＨ、ＭＲ、ＭＭＲなどの方式により符号化する一方、受信した画像データを印字出力するために復号する機能を有している。
【００２９】
プリンタ１２は、読み取った画像や受信した画像を、手差しトレイやカセット等（不図示）にセットした記録紙に出力する動作を実行する。
【００３０】
この画像読取装置Ｆは、画像処理手段５で処理された画像データをＣＯＤＥＣ１１で順次符号化したのち、いったん画像メモリ１０に保存し、モデム３、ＮＣＵ２を介して、相手先のファクシミリ装置（不図示）に対して送信する一方、画像データを受信したときには、受信した画像データを画像メモリ１０に保存し、順次読み出して復号して、プリンタ１２によって印字出力するファクシミリ送受信基本機能と、画像処理手段５で処理された原稿の画像データを記録紙に印字出力する複写基本機能とを備えている。
【００３１】
図３は、同画像読取装置Ｆのブック原稿読取モード設定の基本動作を示すフローチャートであり、本図とブック原稿読取のイメージ図である図４とを参照しながら、圧電センサ４３を利用したブック原稿読取モードの枠、センター影の消去モードの自動設定基本動作を説明する。図４（ａ）はブック原稿読取状態図、（ｂ）はその画像イメージ図である。
【００３２】
操作者が原稿カバー４４を開けて、図４（ａ）に示すように原稿台４１上に書籍を見開き状態で載置すると、カバー開閉センサ４４ａが原稿カバー４４の開状態を判別して、枠、センター影の消去機能の設定操作を促すメッセージを操作表示パネル６ａに表示する（図３の１０１、１０２）。
【００３３】
例えば、「ブック原稿の場合は、上から押さえてください」といったガイドメッセージを表示すれば、操作者は、ブック原稿であればメッセージにしたがって、図４中の矢印方向より本を押さえつけるため、ブック原稿読取モードに設定されないまま読取がされる心配がない。また、たんに本を閉じたまま本の表紙の画像を読み取る場合には、操作者はメッセージにしたがって本を押さえなければよく、あやまって画像の中央部分が消されてしまうおそれがない。
【００３４】
圧電センサ４３が所定閾値以上の押圧力を検出し、かつその押圧力が一定時間継続した場合には、ブック原稿読取モードに自動設定し、読取中止操作されることなく読取開始操作がされると、読取走査を開始し、読取終了後に読取画像のサイズに応じた枠、センター影Ｓ（図４（ｂ）参照）の消去処理を行い、ブック原稿読取モードを解除する（図３の１０３〜１１０）。
【００３５】
また、圧電センサ４３が所定閾値以上の押圧力を検出しないか、あるいは検出しても一定時間継続しない場合には、ブック原稿読取モードの自動設定は行わない（図３の１０３、１０４、１１１、１１２）。よって、枠、センター影消去処理は実行されない。
【００３６】
本例では、読取開始操作ごとにブック原稿読取モードを解除するようにしているが、読取中止操作で、あるいは読取終了後一定時間が経過後に解除するようにしてもよい。
【００３７】
このように、ブック原稿Ｂの画像読取を行う際は、ブック原稿Ｂを上方より押さえるだけで自動的にブック原稿読取モードに設定できるため、ブック原稿の読取をしようとする者はモード設定を意識することなく、枠、センター影を確実に消去できる。
【００３８】
また、一定閾値以上の圧力が一定時間以上継続したときにブック原稿Ｂと判断しているため、あやまって手がガラスに触れた場合や書籍などを載せただけのときに過剰検知することを防止できる。
【００３９】
また、ブック原稿読取モードは、上記条件（一定閾値以上の圧力が一定時間以上継続）で自動設定されるが、図３に示すように、原稿読取走査完了時あるいはその一定時間後に自動解除される構成であるため、自動設定されたブック原稿読取モードが、そのまま放置されてしまうことがない。
【００４０】
また、図３に示すように、この条件はモード設定のための条件であり、ブック原稿読取モードを維持するための条件ではない。つまり、いったんブック原稿読取モードに設定されれば、ブック原稿を押さえ続けなくてもブック原稿読取モードを維持することができる。
【図面の簡単な説明】
【００４１】
【図１】本発明の一例である画像読取装置の基本構成を示すブロック図である。
【図２】（ａ）圧電センサの取付位置を示した原稿台平面図、（ｂ）カバー開状態を示す斜視図である。
【図３】同画像読取装置の基本動作を示すフローチャートである
【図４】（ａ）ブック原稿載置状態を示す図、（ｂ）画像のイメージ図である。
【符号の説明】
【００４２】
Ｆ      画像読取装置
１      ＭＰＵ
４      読取走査手段
４０      スキャナ機構部
４Ａ      スキャナ機構部制御回路
４Ｂ      原稿サイズ検出手段
４１      原稿台
４２      光学系部材
４２ａ      光源
４２ｂ      ＣＣＤ
４３      圧電センサ
４４      原稿カバー
４４ａ      カバー開閉センサ
５      画像処理手段
５ａ      枠、センター影消去処理部
６      操作表示部
６ａ      操作表示パネル
Ｂ      ブック原稿
Ｓ      枠、センター影
【図１】
2008154058.tif 000003
【図２】
2008154058.tif 000004
【図３】
2008154058.tif 000005
【図４】
2008154058.tif 000006